(57)【要約】【課題】本発明は、到来方向推定装置を提供することを目的とする。【解決手段】装置（１）は、アンテナ（２）と、ビーム形成ネットワーク（３）と、評価器（４）と、を備える。信号を受信するように構成されたアンテナ（２）は、円偏波しており、複数の異なる放射パターンと、を備えている。ビーム形成ネットワーク（３）は、アンテナ（２）によって受信された信号に基づいて、複数の異なる放射パターンの中の放射パターンと関連づけられることによって受信される分解された信号を供給するように構成されている。評価器（４）は、分解された信号に基づいて、およびアンテナ（２）の信号受信特性を記述している情報に基づいて到来方向を推定するように構成されている。発明は、また、対応する方法にも関連している。【選択図】図２
2019530866.tif 000002
【特許請求の範囲】
【請求項１】
アンテナ（２）と、
ビーム形成ネットワーク（３）と、
評価器（４）と、
を備え、
前記アンテナ（２）は、信号を受信するように構成され、
前記アンテナ（２）は、円偏波しており、
前記アンテナ（２）は、複数の異なる放射パターンと、
を備え、
前記ビーム形成ネットワーク（３）は、前記アンテナ（２）によって受信された信号に基づいて、複数の異なる放射パターンの中の放射パターンと関連づけられることによって受信される分解された信号を供給するように構成され、
前記評価器（４）は、前記分解された信号に基づいて、および前記アンテナ（２）の信号受信特性が記述された情報に基づいて、到来方向を推定するように構成されている到来方向推定装置（１）。
【請求項２】
信号ソース（１０）は、直線偏波していることを特徴とする、請求項１に記載の到来方向推定装置（１）。
【請求項３】
前記アンテナ（２）は、右旋回偏波しているか、左旋回偏波しているかのうちのいずれかであることを特徴とする、請求項１、または請求項２のうちのいずれか１つに記載の到来方向推定装置（１）。
【請求項４】
前記アンテナ（２）は、複数のアンテナ要素（５）と、
を備え、
複数の前記アンテナ要素（５）の中の前記アンテナ要素（５）は、異なる放射パターンと、
を備え、
前記ビーム形成ネットワーク（３）は、前記分解された信号を供給するように構成されており、それによって、前記分解された信号は、個々のアンテナ要素（５）、あるいは少なくとも２つのアンテナ要素（５）の放射パターンの組み合わせで受信されることを特徴とする、請求項１ないし請求項３のうちのいずれか１つに記載の到来方向推定装置（１）。
【請求項５】
複数の前記アンテナ要素（５）の中の前記アンテナ要素（５）は、すべてが、右旋回偏波しているか、左旋回偏波しているかのうちのいずれかであることを特徴とする、請求項４に記載の到来方向推定装置（１）。
【請求項６】
複数の前記アンテナ要素（５）の中の前記アンテナ要素（５）は、平面に位置していることを特徴とする、請求項４、または請求項５のうちのいずれか１つに記載の到来方向推定装置（１）
【請求項７】
前記評価器（４）は、前記アンテナ（２）によって受信された前記信号を発する信号ソース（１０）の傾き（ρ）を推定するように構成されていることを特徴とする、請求項１ないし請求項６のうちのいずれか１つに記載の到来方向推定装置（１）。
【請求項８】
前記アンテナ（２）の信号受信特性を記述している前記情報は、前記アンテナ（２）と相関する前記アンテナ（２）によって受信された前記信号を発する信号ソース（１０）の位置を示していることを特徴とする、請求項１ないし請求項７のうちのいずれか１つに記載の到来方向推定装置（１）。
【請求項９】
前記アンテナ（２）の信号受信特性を記述している前記情報は、前記アンテナ（２）と関連する前記信号ソース（１０）の前記位置を記述している共通の仰角（θ）、および方向角（φ）を示していることを特徴とする、請求項８に記載の到来方向推定装置（１）。
【請求項１０】
前記アンテナ（２）の信号受信特性を記述している前記情報は、前記アンテナ（２）と関連する前記信号ソース（１０）の傾き（ρ）を示していることを特徴とする、請求項８、または請求項９のうちのいずれか１つに記載の到来方向推定装置（１）
【請求項１１】
前記アンテナ（２）の信号受信特性を記述している前記情報は、前記アンテナ（２）に関連する前記信号ソース（１０）の位置を記述している角度（θ、φ）に依存するとともに、前記アンテナ（２）に関連する前記信号ソース（１０）の偏波の傾きを記述した角度（ρ）に依存するステアリングベクトルのセット（Ａ）と、
を備えていることを特徴とする、請求項８ないし請求項１０のうちのいずれか１つに記載の到来方向推定装置（１）。
【請求項１２】
前記ステアリングベクトルのセット（Ａ）は、前記信号ソース（１０）の可能性がある傾き（ρ）の範囲を分割間隔に分割することに基づいていることを特徴とする、請求項１１に記載の到来方向推定装置（１）。
【請求項１３】
前記分割間隔の幅は、前記信号ソース（１０）の傾き（ρ）の推定に関連する分析のための寸法であることを特徴とする、請求項１２に記載の到来方向推定装置（１）。
【請求項１４】
2019530866.tif 000020
【請求項１５】
2019530866.tif 000021
【請求項１６】
前記所定の値間隔は、低い閾値、および１に近い値によって与えられることを特徴とする、請求項１４、または請求項１５のうちのいずれか１つに記載の到来方向推定装置（１）。
【請求項１７】
複数の異なる放射パターンと、を備える円偏波したアンテナを用いて、信号ソース（１０）よって発せられた信号を受信するステップと、
受信された信号に基づいて、複数の異なる放射パターンの中の放射パターンと関連づけられることによって受信される分解された信号を供給するステップと、
前記分解された信号に基づいて、および前記アンテナ（２）の信号受信特性が記述された情報に基づいて前記方向を推定するステップと、
を備えていることを特徴とする到来方向推定方法。
【発明の詳細な説明】
【技術分野】
【０００１】
本発明は、到来方向推定装置に関する。さらに、本発明は、到来方向推定方法に関する。
【背景技術】
【０００２】
未知の位置のソース（ｓｏｕｒｃｅ）、あるいは信号ソース（ｓｉｇｎａｌ  ｓｏｕｒｃｅ）によって発せられた信号の到来方向（ＤоＡ）を推定するためには、最先端のアンテナ配列が必要である。遅れに依存して、信号はアンテナの間で受け取られ、ソースの方向の結論を描くことができる。
【発明の概要】
【発明が解決しようとする課題】
【０００３】
信号ソースの位置だけではなく、通常は、信号の放射と関係するソースの方位も不明である。このため、ソース信号の偏波は、それぞれの受信配列に関して、任意に傾いていることがある。要素の中の位相の違いはソースの傾きの変化に関しても保たれるので、ふつうは、直線偏波する要素の受信配列が配置される。これは、しかしながら、偏波がミスマッチになることがあるので、弱い受信信号を導く可能性があり、どの到来の方向かを正確に推定できなくなる。
【０００４】
円偏波した受信アンテナは、傾けられたソースによって引き起こされた偏波の損失を受けることはなく、直線偏波した信号ソースであると推定する。まだ、円偏波したアンテナによって表わされた軸比（ａｘｉａｌ−ｒａｔｉｏ）ビーム幅は限定されているので、要素の間の位相の違いは、ソースの傾きの変化とともに変化する（図１を見てください）。
【０００５】
科学界は、さまざまなアンテナの配列を調査してきており、および方向の発見の正確性を高める発想を持っている。
【０００６】
これには、マルチビームアンテナ（ＭＢＡ）［２、３］を使うアプローチも含まれる。一般的には、これらのアンテナは、直線偏波であり、そして、信号ソースである。しかしながら、信号ソースは、任意に方向づけられており、受信信号の位相は、影響を与える角度［４］のために、大部分が一定のままである。これは、ソース傾き、分極化のミスマッチによる低下した推定実行の損失を考慮することなしにＤоＡを推定することを可能にする。
【０００７】
ソースの方向づけから独立しているＤоＡ推定を達成するためには、円偏波方向発見アンテナは好ましい。しかしながら、そのようなアンテナに関しては、軸比ビーム幅は制限されているために、受信された信号位相は、信号ソースの傾きが異なることによって変わる。
【０００８】
例えば、ＭＵＳＩＣ［５］のような部分空間基礎方法などの方向発見のためのさまざまな方法が存在する。すべての方法の間には、精度は、使われたステアリングベクトルのセット、および正確な方向に強く依存し、そして、それらは、アンテナの特徴を表している。これは、アンテナに関するソースの偏波、および傾きを含む。上述のように、偏波のミスマッチは、不正確なＤоＡ推定を引き起こす。
【０００９】
偏波のミスマッチに対抗するために、二重偏波を伴う受信アンテナ配列が使用されてもよい。これらの配列は、異なるソース傾きのための異なるステアリングベクトルを有し、偏波感知配列［６］と呼ばれる。それぞれの構成要素は、１つは第１の偏波のため、１つは第２の偏波のための２つの信号を供給する。例えば、直線状の垂直、および水平偏波、あるいは右旋回偏波、および左旋回偏波（ＲＨＣＰ ＆ ＬＨＣＰ）のような２つの直交する偏波のセットが、一般的には使われる。これは、しかしながら、実施の努力が２倍になり、１つの偏波をサポート（ｓｕｐｐｏｒｔ）する配列と比較して２倍もの信号の分岐が必要とされる。それゆえに、配列は１つの偏波だけをサポートすることが、実際には好ましい。
【００１０】
発明の目的は、技術水準の代わりとなる到来方向推定装置、および到来方向推定方法を提供することである。
【００１１】
目的は、請求項１についての到来方向推定装置によって、そして請求項１７についての到来方向推定方法によって達成される。
【課題を解決するための手段】
【００１２】
目的は、到来方向推定装置によって達成される。装置は、アンテナと、ビーム形成ネットワークと、評価器と、を備えている。アンテナは、特に、電磁気の信号を受信するように構成されており、アンテナは、円偏波されており、アンテナは、複数の異なる放射パターンと、を備えている。ビーム形成ネットワークは、アンテナによって受信された信号に基づいて、複数の異なる放射パターンの中の放射パターンと関連づけられることによって受信される分解された信号を供給するように構成されている。さらに、評価器は、分解された信号に基づいて、およびアンテナの信号受信特性が記述された情報に基づいて、到来方向を推定するように構成されている。
【００１３】
装置は、信号ソースからの信号を受信するためのアンテナと、を備えている。アンテナは、円偏波しており、そして、それに応じて１つだけの円偏波を有する。アンテナは、電磁気の信号を受信するために、異なる感度の空間分布を有する信号ソースによって発せられた信号を受信することを可能にする複数の異なる放射パターンと、を備えている。それぞれの放射パターンは、信号を受信するための特定の空間分布を有する。それゆえに、異なる放射パターンを伴う信号ソースの信号は、特に電磁気の信号のために、それぞれのさまざまに異なる空間感度で受信される。ビーム形成ネットワークは、受信された信号を異なる放射パターンに関連する分解された信号に分解することができる。したがって、それぞれの分解された信号は、複数の利用できる放射パターンの中の放射パターンで受信される。実施の形態においては、放射パターンは、アンテナのビームを示す。最後に、評価器は、分解された信号に基づいて、およびアンテナの信号受信特性が記述された情報に基づいて到来の方向を推定する。情報は、前記アンテナの異なる放射パターンも示す。このように、装置は、信号ソースによって発せられた信号の受信に基づいて到来の方向を推定するように構成されている。
【００１４】
実施の形態においては、装置は、さらに、信号ソースの偏波を推定するように構成されている。実施の形態においては、偏波、あるいは偏波の傾きの推定は、以下に説明するような別々の参考傾き値を適用することによって、１つだけの偏波を用いて行われる。
【００１５】
実施の形態においては、装置は、特に、直線偏波した信号ソースによって発せられた信号に基づいて到来の方向を推定するように構成されている。
【００１６】
実施の形態においては、アンテナは、右旋回偏波しているか、左旋回偏波しているかのうちのいずれかである。
【００１７】
実施の形態においては、アンテナは、複数のアンテナ要素と、を備えている。複数のアンテナ要素の中のアンテナ要素は、アンテナの複数の放射パターンを基準にする異なる放射パターンと、を備えている。さらに、ビーム形成ネットワークは、分解された信号を供給するように構成されているので、分解された信号は、独立したアンテナ要素の放射パターン、あるいは少なくとも２つのアンテナ要素の放射パターンの組み合わせで受信される。このように、アンテナの複数の放射パターンは、アンテナ要素の独立した放射パターン、あるいは独立した放射パターンの組み合わせのうちのどちらかである。
【００１８】
アンテナのサブユニットとしてのそれぞれのアンテナ要素は、特有の放射パターンと、を備えている。アンテナ要素の少なくともいくつかの放射パターンは、それぞれが互いに異なる。実施の形態では、すべての放射パターンが互いに異なる。ビーム形成ネットワークは、アンテナによって受信された信号を分解し、分解された信号の中のそれぞれの分解された信号は、１つのアンテナ要素の放射パターン、あるいは少なくとも２つのアンテナ要素の複数の放射パターンの組み合わせのどちらかによって受信される。
【００１９】
実施の形態においては、アンテナ要素は、１つのデザインであり、それゆえに、互いに同一である。
【００２０】
１つの実施の形態においては、複数の前記アンテナ要素の中のアンテナ要素は、すべてが、右旋回偏波しているか、左旋回偏波しているかのうちのいずれかである。
【００２１】
実施の形態においては、複数のアンテナ要素の中のアンテナ要素は、共通、あるいは接続された平面に位置している。例と比較してみる［１］。実施の形態においては、アンテナ要素は、共通の平面になるように同じ基質の上に位置し、そして／あるいは製造されたアンテナ要素に焼き付けられる。
【００２２】
実施の形態においては、評価器は、さらに受信した信号の到来方向を推定するために、アンテナによって受信された信号を発する信号ソースの傾きを推定するように構成されている。傾きは、例えば、アンテナの通常の平面、あるいは垂直なベクトルと関連する。１つの実施の形態では、０°のρと呼ばれる傾きは、その放射特性と関連する信号ソースは、アンテナの平面と平行であることを意味する。例えば、９０°の値、言い換えれば、ρ＝９０°は、信号ソースはこの平面と垂直に位置しており、あるいは信号ソースはこの平面の垂直なベクトル、例えば、受信している信号の主方向と平行であることを意味している。信号ソースの傾きは、ここでは、偏波の傾きでもある。
【００２３】
次の実施の形態は、評価器に、到来の方向、そして／あるいは傾きを推定させることを可能にする情報に関する。
【００２４】
実施の形態においては、アンテナの信号受信特性を記述している情報は、アンテナと相関するアンテナによって受信された信号を発する信号ソースの位置を示す。評価器によって使用される情報は、アンテナと関連する信号ソースの位置を示す。
【００２５】
実施の形態においては、アンテナの信号受信特性を記述した情報は、アンテナと関連する信号ソースの位置を記述した共通の仰角、および方位角を示す。この実施の形態においては、アンテナと関連する信号ソースの位置は、２つの角度、共通の仰角、および方位角によって記述される。
【００２６】
実施の形態においては、信号ソースは、軌道を伴う実施の形態と関連づけられた衛星である。このような軌道は、それに応じて、１つの実施の形態を１つの角度、例えば、方位角ψ＝０°の値に固定するように設定することが可能である。
【００２７】
実施の形態においては、アンテナの信号受信特性を記述した情報は、アンテナと関連する信号ソースの傾きを示す。この実施の形態では、信号ソースの傾きは、アンテナによって受信された信号に影響を与えるものとして考慮される。
【００２８】
実施の形態においては、情報は、位置を記述している共通の仰角と方位角を示し、および信号ソースの傾きを示す。
【００２９】
実施の形態においては、アンテナの信号受信特性を記述した情報は、アンテナに関連する信号ソース（あるいはアンテナの軸（ａｎｔｅｎａ  ｓｔｅｍｓ）によって受信された信号からの方向）の位置を記述した角度（共通の仰角のために名付けられたθ、および方位角のために名付けられたψ）に依存しており、およびアンテナに関連する信号ソースの偏波の傾きを記述した角度に依存しているステアリングベクトルのセットと、を備えている。それゆえに、評価器は、３つの角度（２つはアンテナ（あるいは、より正確には、平面、そして／あるいは、アンテナの垂直ベクトル）に関連する方向のためであり、１つは、ここで、信号ソースの傾きと呼ばれる信号ソースの偏波の傾きのためである）に依存するステアリングベクトルのセットを用いている。
【００３０】
実施の形態においては、ステアリングベクトルのセットは、信号ソースの可能性がある傾きの範囲（角度ρによって名付けられた）を分割間隔に分割することに基づいている。可能性がある傾き範囲は１つの実施の形態では、−９０°＜＝ρ＜＝９０°で与えられ、そして異なる実施の形態では、−１８０°＜＝ρ＜＝１８０°で与えられる。傾きの範囲は、この実施の形態では、分割間隔に分割される。間隔は、間隔が区別されていない範囲内では、傾き角度としての仰角の推定の分析の境界を定める。このように、それぞれの間隔は、参考傾き、そして、一定の幅が定義する傾きの間隔、そして、推定の分析が関連する傾きと関連する。
【００３１】
2019530866.tif 000003
【００３２】
実施の形態においては、分割間隔は、類似する幅の投射に基づいて、設定される。
【００３３】
2019530866.tif 000004
【００３４】
値間隔は、１つの実施の形態では、上限が１までの低い閾値で与えられる。これゆえに、もし、投射が１に近ければ、ステアリングベクトルは、参考ステアリングベクトルとほとんど同じであり、実施の形態に応じて、参考ステアリングベクトルのそれぞれの分割間隔に属すると考えられる。
【００３５】
実施の形態においては、同じ角度の参考値に属するステアリングベクトルは参考ステアリングベクトルの上に投射され、そして異なる傾きの値のために正規化される。これゆえに、実施の形態においては、正規化は、投射値を計算するためにも実行される。これは、上述の値間隔を定義することにも関連する。
【００３６】
実施の形態においては、与えられた値間隔は、低い閾値、および１に近い値で与えられる。１の上の値は、特に、傾きの値の正規化に基づく。実施の形態においては、分割値の重複は減少する。これゆえに、参考値、および幅はそれに応じて定められる。
【００３７】
2019530866.tif 000005
【００３８】
マルチビームアンテナ（ＭＢＡ）として使われる分割は、適切な間隔の範囲内のソースの傾きを推定、言い換えれば、分析をすることができる。この分析は、それぞれの共通の仰角θ（そして、一般的なケースの方位角ψ）ごとに異なることが分かる。結果として、分割は、実施の形態の中で、ＭＢＡの分析能力を明らかにするために使われ、そして、それらは、ソースの傾きを指し示すスペクトラムを形成した後に使われる。それらは、傾き（ρ）領域だけを分割する。１つの実施の形態においては、アンテナは同形であり、そしてそれらのそれぞれの領域の隅から隅までそれらのためにはっきりとした分析を行うケースでは、分割には、θ、およびψの推定は必要とはされない。
【００３９】
2019530866.tif 000006
【００４０】
2019530866.tif 000007
【００４１】
2019530866.tif 000008
【００４２】
2019530866.tif 000009
【００４３】
一言で言うと、傾き分割はソースの傾きについて、アンテナの分析能力を測定するために使われる。これとともに、スペクトラムが形成され、そして、１つの実施の形態では、到来方向、および偏波の傾きを推定するために使われる。このために、マルチビームアンテナは使われ、ここで、アンテナは、それらの分割の中で他と異なる軸比（ａｘｉａｌ−ｒａｔｉｏ）を有することによる独特なものである。
【００４４】
到来方向推定のための方法を実行することも目的である。
【００４５】
方法は、少なくとも以下のステップを含む。
複数の異なる放射パターンと、を備える円偏波したアンテナを用いて、信号ソースよって発せられた信号を受信するステップと、
受信された信号に基づいて、複数の異なる放射パターンの中の放射パターンと関連づけられることによって受信される分解された信号を供給するステップと、
分解された信号に基づいて、およびアンテナの受信特性を記述した情報に基づいて到来方向を推定するステップ。
【００４６】
装置の上記の議論された実施の形態と特徴は方法によって認識されることも可能であり、そして、逆もまた同じである。
【発明の効果】
【００４７】
本発明の装置、および方法は、受信した信号の到来方向を推定することができる。
【００４８】
発明は、添付の図面に関して以下で説明され、そして実施の形態は添付の図面を中で表した。
【図面の簡単な説明】
【００４９】
【図１】図１は、マルチビームアンテナのローブ（ｌｏｂｅ）１に関連するローブ２、３、および４との位相の違いを比較した図である。
【図２】図２は、２×２のマルチビームアンテナ構造を伴う装置の実施の形態、および、信号ソース、および、座標関係を含む方向探知状況を示した図である。
【図３】図３は、ＸＹ平面上のそれぞれのローブＬ１からＬ５までの軸比値（ａｘｉａｌ  ｒａｔｉｏ  ｖａｌｕｅｓ）の例を示した図である。
【図４】図４は、−９０°＜＝ρ＜＝９０°で、参考ステアリングベクトル（０°、０°）の上のＡ（０°、ρ）の投射の結果を示す図である。
【図５】図５は、−９０°＜＝ρ＜＝９０°で、参考ステアリングベクトル（０°、０°）の上のＡ（２０°、ρ）の投射の結果を示す図である。
【図６】図６は、設定｛−７８°、−５５°、−３２°、−９°、１４°、３７°、６０°、８３°｝に属する参考ステアリングベクトルＡ（０°、ρｒｅｆ  ０°）の上のＡ（２０°、０°）の投射の結果を示す図である。
【図７ａ】図７ａは、θ＝−５°、およびρ＝０°のスペクトルを示す図である。
【図７ｂ】図７ｂは、θ＝−５°、およびρ＝４５°のスペクトルを示す図である。
【図７ｃ】図７ａは、θ＝−５°、およびρ＝９０°のスペクトルを示す図である。
【図８ａ】図８ａは、θ＝５０°、およびρ＝０°のスペクトルを示す図である。
【図８ｂ】図８ｂは、θ＝５０°、およびρ＝４５°のスペクトルを示す図である。
【図８ｃ】図８ｃは、θ＝５０°、およびρ＝９０°のスペクトルを示す図である。
【図９】図９は、装置の異なった実施の形態を示す図である。
【図１０】図１０は、装置の他の実施の形態を示す図である。
【００５０】
図１には、［１］によって与えられたアンテナに類似するマルチビームアンテナのローブ（ｌｏｂｅ）１に関連するローブ２、３、および４との間の位相の違いの比較が示されている。観測角度θ°はＸ軸上に示されており、位相の違いδ°はＹ軸上に示されている。これらの位相の違いは、方位角φ＝０°、および傾きρ＝０°のときに、［１］に教えられたマルチビームアンテナの４つのビームの最初のローブＬ１に関連するローブＬ２、Ｌ３、およびＬ４のために与えられている。それぞれのローブのために、２つの曲線がそれぞれ示されており、ＲＰはソース傾きがρ＝０°のときであり、ＭＳは、ソース傾きがρ＝９０°のときである。
【００５１】
装置１の実施の形態は、図２に示されている。装置１においては、マルチビームアンテナ（ＭＢＡ）２は、多様な放射線パターンを持って利用される。アンテナ要素５は、１つだけの偏波であるＲＨＣＰ（示された実施の形態の中の）、あるいはＬＨＣＰをサポートする。もし、パターンの振幅、および位相応答が、サブスペースを基本にした方法で使われるときには、例えば、アンテナ２と関連する信号ソース１０の傾き角ρで傾いている信号ソースの推定に加えて、信号ソース１０から生じているソース信号の到来方向（ＤоＡ）推定が可能である。
【００５２】
図２には、ここで、４つのアンテナ要素５とともに［１］によって提供されるアンテナに基づいて、５つのビームを供給している２×２要素配列の例による配置が示されており、４つのビームは、４つのアンテナ要素の放射パターンによって与えられ、そして、１つのビームは、アンテナ要素の放射パターンの組み合わせの結果である。右旋回偏波しているすべてのアンテナ要素５は、白い矢によって示されている。
【００５３】
配列開口は、ＸＹ平面の中にある。信号ソース１０は、任意の共通の仰角θ、および方位角（ここでは、φ＝０°）で表され、そして、傾き角ρによって示されるそれぞれの受信列とともに任意に方向付けられる。ビーム形成ネットワーク（ＢＦＮ）３は、ビームパターンを形成するために必要な励起ベクトルを供給し、それは、ＲＦスイッチ（図１０を見てください）を経由して選ばれてもよい。分解された信号の結末は、評価器４によって処理される。
【００５４】
2019530866.tif 000010
【００５５】
2019530866.tif 000011
【００５６】
残りのアルゴリズムは、サブスペースを基礎とした方法の選択に依存し、それは、以下の結論は、ＭＵＳＩＣ、ＥＳＰＲＩＴ、Ｍａｘｉｍｕｍ  Ｌｉｋｅｌｉｈｏｏｄ、ｒｏｏｔ−ＭＵＳＩＣ、ＣＡＰＯＮ、その他［７］のような、いくつかのサブスペースを基礎とした推測のためには合理的なので、上で定義された共分散行列が使用される。
【００５７】
推定のために、それぞれの異なったθ、およびρのためのステアリングベクトルＡ（θ、ρ）が必要とされる。これは、φ＝０のケースの議論のためである。それゆえに、一般的な形の中で、ステアリングベクトルＡ（θ、φ、ρ）は必要とされる。
【００５８】
2019530866.tif 000012
その時に、任意のソース傾きρのためのステアリングベクトルが得られる。
【００５９】
2019530866.tif 000013
【００６０】
すべてのビームは、すべてのθ範囲で完全にＲＨＣＰであると当然思われるが、その時、直線偏波したソースは、傾くように変化し、ビームの出力信号は、正確に同じ位相で返され、ステアリングベクトル共分散行列の上では変化なく提供される。結果として、偏波感度は得られない。
【００６１】
しかしながら、異なる水準で獲得されたＲＨＣＰは感度を提供する。これは、マルチビームアンテナＭＢＡ２が動作するところはどこでもこうなっている。ＭＢＡを持つと、図２に示されているアンテナ２の５つのビームの軸比ＡＲのｄＢの中にある図３の中の代表的に描かれた軸比パターンを生じさせる。前記ＡＲは、観測角度θに依存して与えられる。
【００６２】
それぞれのビーム、あるいはそれぞれのビームのサブセットは、もし、いくつかのビームが非対称になるように繰り返すと、それは、観測方向に繰り返す独特の軸比特性を持つ。これは、特に、マルチビームアンテナ、そして偏波感度の結果である。このように、装置で使われるマルチビームアンテナは、到来方向推定特性、およびソース傾き推定のよい分析を提供する。
【００６３】
ＤоＡ推定を行う前に、ソースの傾きと一致するステアリングベクトルのセットが必要である。そのセットは、測定、およびこれらの測定に基づく計算によって、１つの実施の形態の中で獲得されており、さらに測定、およびこれらの測定に基づく計算によって、異なる実施の形態の中で獲得される。
【００６４】
2019530866.tif 000014
【００６５】
2019530866.tif 000015
【００６６】
もし、投射の値がほとんど１であれば、ステアリングベクトルは、同一であると考えることができる。実際には、下の境界線、言い換えれば、閾値は、ステアリングベクトルを区別するために選ばれる。境界線より上では、ステアリングベクトルは、同一であると考えられ、下では、ステアリングベクトルは、異なる。軸比ビーム幅に関しては、閾値が選ばれ、信号の復調、およびノイズに関しては、１の近く、例えば、０．９８８であるべきである。
【００６７】
2019530866.tif 000016
【００６８】
2019530866.tif 000017
【００６９】
2019530866.tif 000018
【００７０】
例では、以下のステアリングベクトルは、Ａ（２０°、−７８°）、Ａ（２０°、−５５°）、Ａ（２０°、−３２°）、Ａ（２０°、−９°）、Ａ（２０°、１４°）、Ａ（２０°、３７°）、Ａ（２０°、６０°）、そしてＡ（２０°、８３°）で用いられていた。
【００７１】
選択は、θ、およびρの他の例のための類似した投射方法に関する１つの実施の形態である。偏波感度を持たない間隔のために、１つのステアリングベクトル、言い換えれば、１つの区画だけが、スペクトラムを形成するために使われる。これは事実として、必要とされる比較の数を減らすことができる。
【００７２】
必要とされるステアリング参考ベクトル、そして、それぞれのθ（そして、φ）のためのρスペクトラムの分割の測定の後に、方法に基づくいくつかのサブスペースを用いて、推定を始めることができる。区分の数は、直接、ＭＢＡの分割感度と一致し、θ増加として増加する。
【００７３】
2019530866.tif 000019
【００７４】
テーブルは、共通の仰角θの範囲を与えるために、ステアリングベクトルρ分割の数の例を与えている（ここで、方向角φは０°に設定されている）
【００７５】
図６を見ると、いくつかのステアリングベクトルのために、等間隔の分割の結果としての閾値線の上に重複が表れている。それぞれのステアリングベクトルの解像度は、最悪のケースで二倍になるかもしれず、ソースの分極の荒い推定を与えている間、評価器は、スペクトラムの中の１つのρ間隔をサポートする。非等距離に分割することによって、重複は存在しなくなる。これゆえに、ＭＢＡは、解像度能力と結び付けて非等距離を実現する。簡単に言えば、前記方法は、どのように参考分割ステアリングベクトルセットをどのように選ぶかのガイドを生じさせ、閾値線の上のすべての領域に広がる制約を有する。
【００７６】
立証のためのＭＵＳＩＣアルゴリズムを用いて、いくつかのテストの結果は、共通の仰角θが増加する時のソース傾きρに感度を増加させることを伴って、信号の到来方向を分析するためのマルチビームアンテナの能力を示すために表される。
【００７７】
図７は、−５°で、および３つの異なる傾きρ＝０°、４５°、および９０°のために置かれているソースの分割されたスペクトラムの出力を表している。
【００７８】
図８は、ソースが共通の仰角θ＝５０°に置かれたときの同じソースの傾きセットの結果を表している。
【００７９】
図７、および図８の両方の中で、可能性がある傾きρの範囲は異なる区画に分割されたように見ることができる。それゆえに、スペクトラムは、それらの振幅と位相に関して、分解された信号を処理することによって獲得されており、そして異なる放射パターンの信号受信感度の空間の分布、および信号ソースの傾きに関して異なる区画を基本にして分析された信号ソースの傾きの効果を記述しているステアリングベクトルのセットを用いている。さらなる処理は、例えば、ＭＵＳＩＣのような技術の状態についてのサブスペースを基本にした方法によって行われる。
【００８０】
結果は、ＭＢＡがその軸比のパターンを有するとともに、偏波感度を得ることをサポートしている。到来の方向推定とともに、ソース傾きの推定の分割には、とてもよく正確性が表れている。実施態様は、ここで、ＭＢＡが、これらの角度のその小さな振幅の応答を伴うビームの高い軸比の角度を抑えて、おもりのような作用をして、到着の方向推定をより強固にするとともに、偏波感度を生じさせて、それによって、いくつかの第２の放射パターンなしに、ＲＨＣＰビームだけを使う。
【００８１】
ＤｏＡのための装置１の実施の形態、および偏波推定は、図９に描かれている。
【００８２】
異なったアンテナ要素５を伴う「アンテナ配列２」は、例えば、Ｂｕｔｌｅｒ・ｍａｔｒｉｘによって信頼されているような、ビーム形成ネットワーク（ＢＦＮ）３は、受信したアンテナ信号を分解された信号に分解する。推定は、「信号処理」装置、あるいは評価器４によって実行される。計測、あるいはシュミレーションから取得されたそれぞれのアンテナ２のステアリングベクトルのセットは、記憶装置６を経由して提供される。評価器４は、到着方向のための推定、および信号ソースの偏波の傾きρを提供する。コントローラ７は、装置１を制御する。ＢＦＮの分離、そして信号処理は、論理的である。ＢＦＮは、また、信号処理装置の一部であってもよく、デジタル信号の分解を意味する。
【００８３】
ＤｏＡのための装置１の他の実施の形態、および分極推定は、図１０に描かれている。
【００８４】
アンテナ要素５（すべてが同じ円偏波を有する）を伴う「アンテナ配列」２は、ＢＦＮ３と接続されており、それは、アンテナ信号を分解された信号に分解する。図９の中の実施の形態と対比すると、１つの分解された信号だけ、スイッチ装置８を経由して、瞬間的に選ばれる。ＢＦＮ３とスイッチ装置８のアナログの実施例を考えてみると、１への信号枝の数を減らすことが可能である。それは時間同期スイッチングによって確保される。推定は評価器４の内部で実行される。それぞれのアンテナのステアリングベクトルのセットは、記憶装置６によって提供される。ビーム形成ネットワーク３、スイッチングユニット８、および評価器４の分離は、論理的である。ＢＦＮ３、およびスイッチングユニット８は、評価器４の異なる実施の形態の部分であり、デジタル信号の分解と選択を意味する。
【００８５】
提供された装置、および方法は、少なくとも次の利益を提供する。
【００８６】
１つの偏波は、それぞれの要素のために、１つの信号枝だけを必要にすることによって、実施例のコストを減らし、二重偏波を解決することと比較してみると努力を半分にすることができる。
【００８７】
多様なパターンのために、ＤｏＡ、そして信号ソースの偏波（傾き、方位）は、１つの偏波を伴う配列を使って同時に推定できる。
【００８８】
傾き角度の範囲の分割の応用は、推定のための信号処理を効果的に減少させて、マイクロコントローラ（例えば、ＡＲＭファミリー）のようなより安いプラットフォームを用いることが可能である。
【００８９】
可能性があるアプリケーション域を以下に示す。
【００９０】
ラジオ受信機、トランスミッター／ＲＦＩＤトランスポンダようなトランスポンダ、ワイヤレスセンサ、モバイル機器（携帯電話、ラップトップ、タブレット型コンピューター）、自動車、および飛行機の方向、および方位の推定。
【００９１】
軍事目的、および保安のための方向探知（無線偵察）
【００９２】
センサアプリケーション：傾き、位置、方位の決定。
【００９３】
いくつかの実施態様は、装置の環境の中で述べられているが、これらの実施態様は、対応する方法の記述としても表わされている。類推的に、方法のステップの前後関係の中で述べられた実施態様は、対応するブロックの記述、あるいは、対応する装置の特徴としても表わされている。
【００９４】
発明についてのいくつかの実施の形態は、電気的に読み取り可能な制御信号を有するデータキャリアを備えており、データキャリアは、ここに述べられた方法のうちの１つが実行されるように、プログラムされたコンピュータシステムと協力することが可能である。
【００９５】
一般的に、本発明の実施の形態は、プログラムコードを伴うコンピュータプログラム製造物として実施されることが可能であり、コンピュータプログラム製造物がコンピュータで動いているときには、そのプログラムコードは、方法のうちの１つが実行されるようにするために、作動している。そのプログラムコードは、機械で読み取り可能なキャリアに格納されていてもよい。
【００９６】
他の実施の形態は、機械で読み取り可能なキャリアに格納された、ここに述べられた方法のうちの１つを実行するためのコンピュータプログラムを備えている。
【００９７】
言い換えれば、本発明の方法の実施の形態は、したがって、コンピュータプログラム製造物がコンピュータで動いているときには、ここに述べられた方法のうちの１つを実行するためのプログラムコードを有するコンピュータプログラムである。
【００９８】
本発明の方法のさらなる実施の形態は、したがって、データキャリア（あるいは、デジタル格納媒体、あるいは、コンピュータで読み取り可能な媒体）は、その上に記録される、ここに述べられた方法のうちの１つを実行するためのコンピュータプログラムである。データキャリア、あるいはデジタル格納媒体、あるいは記録された媒体は、一般的に、有形であり、および／または、一時的ではない。
【００９９】
本発明の方法のさらなる実施の形態は、したがって、ここに述べられた方法のうちの１つを実行するためのコンピュータプログラムとして表わされているデータストリーム、あるいは信号列である。そのデータストリーム、あるいは信号列は、例示として、例えば、インターネットを経由するような、データ通信接続を経由して運ばれるように構成されていてもよい。
【０１００】
さらなる実施の形態は、例えば、ここに述べられた方法のうちの１つを実行するように構成された、あるいは適合するコンピュータ、あるいはプログラム可能な論理装置のような処理手段を備えている。
【０１０１】
さらなる実施の形態は、ここに述べられた方法のうちの１つを実行するため、その上にコンピュータプログラムがインストールされたコンピュータを備えている。
【０１０２】
本発明についてのさらなる実施の形態は、ここに述べられた方法のうちの１つを実行するためのコンピュータプログラムを受信機に伝送するように（例えば、電気的、あるいは光学的に）構成された装置、あるいはシステムを備えている。受信機は、例えば、コンピュータ、モバイル機器、記憶装置、あるいはその他であってもよい。
【０１０３】
いくつかの実施の形態では、プログラム可能な論理装置（例えば、フィールドプログラムブルゲートアレイ）は、ここに述べられた方法のいくつか、あるいはすべての機能を実行するために使用されてもよい。いくつかの実施の形態では、フィールドプログラムブルゲートアレイは、ここに述べられた方法のうちの１つを実行するために、マイクロプロセッサと協力してもよい。一般的に、方法は、好ましくはハードウエア装置装置で実行される。
【０１０４】
ここに述べられた装置は、ハードウエア装置を用いて、あるいは、コンピュータを用いて、あるいはハードウエア装置とコンピュータの組み合わせを用いて実行されてもよい。
【０１０５】
ここに述べられた方法は、ハードウエア装置を用いて、あるいは、コンピュータを用いて、あるいはハードウエア装置とコンピュータの組み合わせを用いて実行されてもよい。
【０１０６】
参考文献
［１］  Ｌ．Ｗｅｉｓｇｅｒｂｅｒ ａｎｄ Ａ．Ｅ．Ｐｏｐｕｇａｅｖ，“Ｍｕｌｔｉｂｅａｍ ａｎｔｅｎｎａ ａｒｒａｙ ｆｏｒ ＲＦＩＤ ａｐｐｌｉｃａｔｉｏｎｓ，”ｉｎ ２０１３ Ｅｕｒｏｐｅａｎ Ｍｉｃｒｏｗａｖｅ Ｃｏｎｆｅｒｅｎｃｅ （ＥｕＭＣ）， Ｎｕｒｅｍｂｅｒｇ, Ｇｅｒｍａｎｙ, Ｏｃｔ. １０−１６，２０１３，ｐｐ．８４−８７．
［２］  Ｋ．Ａ．Ｇｏｔｓｉｓ，Ｋ．Ｓｉａｋａｖａｒａ，ａｎｄ Ｊ．Ｎ．Ｓａｈａｌｏｓ，“Ｏｎ ｔｈｅ ｄｉｒｅｃｔｉｏｎ ｏｆ ａｒｒｉｖａｌ （ｄｏａ）ｅｓｔｉｍａｔｉｏｎ ｆｏｒ ａ ｓｗｉｔｃｈｅｄ-ｂｅａｍ ａｎｔｅｎｎａ  Ｓｙｓｔｅｍ ｕｓｉｎｇ ｎｅｕｒａｌ ｎｅｔｗｏｒｋｓ,” ＩＥＥＥ Ｔｒａｎｓａｃｔｉｏｎｓ ｏｎ Ａｎｔｅｎｎａｓ ａｎｄ Ｐｒｏｐａｇａｔｉｏｎ，ｖｏｌ．５７，ｎｏ．５，ｐｐ．１３９９−１４１１，Ｍａｙ ２００９．
［３］  Ｗ．Ｘ．Ｓｈｅｎｇ，Ｊ．Ｚｈｏｕ，Ｄ．Ｇ．Ｆａｎｇ，ａｎｄ Ｙ．Ｃ．Ｇｕ，“Ｓｕｐｅｒ−ｒｅｓｏｌｕｔｉｏｎ ＤＯＡ ｅｓｔｉｍａｔｉｏｎ ｉｎ ｓｗｉｔｃｈ ｂｅａｍ ｓｍａｒｔ ａｎｔｅｎｎａ，”ｉｎ Ｐｒｏｃ．５ｔｈ Ｉｎｔ．Ｓｙｍｐ．Ａｎｔｅｎｎａｓ，Ｐｒｏｐａｇａｔｉｏｎ ａｎｄ ＥＭ Ｔｈｅｏｒｙ ＩＳＡＰＥ ２０００，Ａｕｇ．２０００，ｐｐ，６０３−６０６．
［４］  Ｌ．Ｗｅｉｓｇｅｒｂｅｒ ａｎｄ Ａ．Ｅ．Ｐｏｐｕｇａｅｖ，“Ａｎｔｅｎ  ｎａ ｃｏｎｃｅｐｔｓ ｆｏｒ ＤｏＡ ｅｓｔｉｍａｔｉｏｎ ｉｎ ｔｒａｆｆｉｃ ｓｃｅｎａｒｉｏｓ," ｉｎ Ｐｒｏｃ．ＩＥＥＥ−ＡＰＳ Ｔｏｐｉｃａｌ Ｃｏｎｆ．Ａｎｔｅｎｎａｓ ａｎｄ Ｐｒｏｐａｇａｔｉｏｎ ｉｎ Ｗｉｒｅｌｅｓｓ Ｃｏｍｍｕｎｉｃａｔｉｏｎｓ （ＡＰＷＣ），Ａｕｇ．２０１４，ｐｐ. ４２３−４２６．
［５］  Ｒ．Ｓｃｈｍｉｄｔ，“Ｍｕｌｔｉｐｌｅ ｅｍｉｔｔｅｒ ｌｏｃａｔｉｏｎ  ａｎｄ ｓｉｇｎａｌ ｐａｒａｍｅｔｅｒ ｅｓｔｉｍａｔｉｏｎ，”ＩＥＥＥ  Ｔｒａｎｓａｃｔｉｏｎｓ ｏｎ Ａｎｔｅｎｎａｓ ａｎｄ Ｐｒｏｐａｇａｔｉｏｎ，ｖｏｌ. ３４，ｎｏ．３，ｐｐ．２７６−２８０，Ｍａｒ. １９８６．
［６］  Ｙ．Ｈａｎ，Ｑ．Ｆａｎｇ，Ｆ．Ｙａｎ，Ｍ．Ｊｉｍ，ａｎｄ Ｘ．Ｑｉａｏ，“Ｊｏｉｎｔ ＤＯＡ ａｎｄ ｐｏｌａｒｉｚａｔｉｏｎ ｅｓｔｉｍａｔｉｏｎ  ｆｏｒ ｕｎｅｑｕａｌ ｐｏｗｅｒ ｓｏｕｒｃｅｓ ｂａｓｅｄ ｏｎ ｒｅｃｏｎｓｔｒｕｃｔｅｄ ｎｏｉｓｅ ｓｕｂｓｐａｃｅ，”Ｊｏｕｒｎａｌ ｏｆ  Ｓｙｓｔｅｍｓ Ｅｎｇｉｎｅｅｒｉｎｇ ａｎｄ Ｅｌｅｃｔｒｏｎｉｃｓ，ｖｏｌ.２７，ｎｏ．３，ｐｐ．５０１−５１３，Ｊｕｎ．２０１６．
［７］  Ｊ．Ｆｏｕｔｚ，Ａ．Ｓｐａｎｉａｓ，ａｎｄ Ｍ．Ｋ．Ｂａｎａｖａｒ，Ｎａｒｒｏｗｂａｎｄ Ｄｉｒｅｃｔｉｏｎ ｏｆ Ａｒｒｉｖａｌ Ｅｓｔｉｍａｔｉｏｎ ｆｏｒ Ａｎｔｅｎｎａ Ａｒｒａｙｓ，ｓｅｒ．Ｓｙｎｔｈｅｓｉｓ Ｌｅｃｔｕｒｅｓ ｏｎ Ａｎｔｅｎｎａｓ ＃８．Ｍｏｒｇａｎ ＆ Ｃｌａｙｐｏｏｌ, ２００８．
【図１】
2019530866.tif 000022
【図２】
2019530866.tif 000023
【図３】
2019530866.tif 000024
【図４】
2019530866.tif 000025
【図５】
2019530866.tif 000026
【図６】
2019530866.tif 000027
【図７ａ】
2019530866.tif 000028
【図７ｂ】
2019530866.tif 000029
【図７ｃ】
2019530866.tif 000030
【図８ａ】
2019530866.tif 000031
【図８ｂ】
2019530866.tif 000032
【図８ｃ】
2019530866.tif 000033
【図９】
2019530866.tif 000034
【図１０】
2019530866.tif 000035
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
アンテナ（２）と、
ビーム形成ネットワーク（３）と、
評価器（４）と、
を備え、
前記アンテナ（２）は、信号を受信するように構成され、
前記アンテナ（２）は、円偏波しており、
前記アンテナ（２）は、複数の異なる放射パターンと、
を備え、
前記ビーム形成ネットワーク（３）は、前記アンテナ（２）によって受信された信号に基づいて、複数の異なる放射パターンの中の放射パターンと関連づけられることによって受信される分解された複合信号を供給するように構成され、
前記評価器（４）は、前記分解された複合信号に基づいて、および前記アンテナ（２）の信号受信特性が記述された情報に基づいて、到来方向を推定するように構成され、
前記アンテナ（２）の信号受信特性を記述している前記情報は、前記アンテナ（２）と相関する前記アンテナ（２）によって受信された前記信号を発する信号ソース（１０）の位置を記述している角度（θ、ψ）に依存するとともに、前記アンテナ（２）に関連する前記信号ソース（１０）の偏波の傾きを記述した角度（ρ）に依存するステアリングベクトルのセット（Ａ）と、を備えていることを特徴とする、到来方向推定装置（１）。
【請求項２】
前記アンテナ（２）は、右旋回偏波しているか、左旋回偏波しているかのうちのいずれかであることを特徴とする、請求項１に記載の到来方向推定装置（１）。
【請求項３】
前記アンテナ（２）は、複数のアンテナ要素（５）と、
を備え、
複数の前記アンテナ要素（５）の中の前記アンテナ要素（５）は、異なる放射パターンと、
を備え、
前記ビーム形成ネットワーク（３）は、前記分解された複合信号を供給するように構成されており、それによって、前記分解された複合信号は、個々のアンテナ要素（５）、あるいは少なくとも２つのアンテナ要素（５）の放射パターンの組み合わせで受信されることを特徴とする、請求項１、または請求項２のうちのいずれか１つに記載の到来方向推定装置（１）。
【請求項４】
複数の前記アンテナ要素（５）の中の前記アンテナ要素（５）は、すべてが、右旋回偏波しているか、左旋回偏波しているかのうちのいずれかであることを特徴とする、請求項３に記載の到来方向推定装置（１）。
【請求項５】
複数の前記アンテナ要素（５）の中の前記アンテナ要素（５）は、平面に位置していることを特徴とする、請求項３、または請求項４のうちのいずれか１つに記載の到来方向推定装置（１）
【請求項６】
前記評価器（４）は、前記アンテナ（２）によって受信された前記信号を発する信号ソース（１０）の傾き（ρ）を推定するように構成されていることを特徴とする、請求項１ないし請求項５のうちのいずれか１つに記載の到来方向推定装置（１）。
【請求項７】
前記アンテナ（２）の信号受信特性を記述している前記情報は、前記アンテナ（２）と関連する前記信号ソース（１０）の前記位置を記述している共通の仰角（θ）、および方向角（φ）を示していることを特徴とする、請求項１ないし請求項６のうちのいずれか１つに記載の到来方向推定装置（１）。
【請求項８】
前記アンテナ（２）の信号受信特性を記述している前記情報は、前記アンテナ（２）と関連する前記信号ソース（１０）の傾き（ρ）を示していることを特徴とする、請求項１ないし請求項７のうちのいずれか１つに記載の到来方向推定装置（１）。
【請求項９】
前記ステアリングベクトルのセット（Ａ）は、前記信号ソース（１０）の可能性がある傾き（ρ）の範囲を分割間隔に分割することに基づいていることを特徴とする、請求項１ないし請求項８のうちのいずれか１つに記載の到来方向推定装置（１）。
【請求項１０】
前記分割間隔の幅は、前記信号ソース（１０）の傾き（ρ）の推定に関連する分析のための寸法であることを特徴とする、請求項９に記載の到来方向推定装置（１）。
【請求項１１】
2019530866.tif 000036
【請求項１２】
2019530866.tif 000037
【請求項１３】
前記所定の値間隔は、低い閾値、および１に近い値によって与えられることを特徴とする、請求項１１、または請求項１２のうちのいずれか１つに記載の到来方向推定装置（１）。
【請求項１４】
複数の異なる放射パターンと、を備える円偏波したアンテナを用いて、信号ソース（１０）よって発せられた信号を受信するステップと、
受信された信号に基づいて、複数の異なる放射パターンの中の放射パターンと関連づけられることによって受信される分解された複合信号を供給するステップと、
前記分解された複合信号に基づいて、および前記アンテナ（２）の信号受信特性が記述された情報に基づいて前記方向を推定するステップと、
を備え、
前記アンテナ（２）の信号受信特性を記述している前記情報は、前記アンテナ（２）と相関する前記アンテナ（２）によって受信された前記信号を発する信号ソース（１０）の位置を記述している角度（θ、ψ）に依存するとともに、前記アンテナ（２）に関連する前記信号ソース（１０）の偏波の傾きを記述した角度（ρ）に依存するステアリングベクトルのセット（Ａ）と、を備えていることを特徴とする、到来方向推定方法。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
アンテナ（２）と、
ビーム形成ネットワーク（３）と、
評価器（４）と、
を備え、
前記アンテナ（２）は、信号を受信するように構成され、
前記アンテナ（２）は、円偏波しており、
前記アンテナ（２）は、複数の異なる放射パターンと、
を備え、
前記ビーム形成ネットワーク（３）は、前記アンテナ（２）によって受信された信号に基づいて、複数の異なる放射パターンの中の放射パターンと関連づけられることによって受信される分解された複合信号を供給するように構成され、
前記評価器（４）は、前記分解された複合信号に基づいて、および前記アンテナ（２）の信号受信特性が記述された情報に基づいて、到来方向、および前記アンテナ（２）と関連する前記信号ソース（１０）の傾きを推定するために、異なる放射パターンの振幅と位相応答を用いるように｛Ｐ、７  ５行目から８行目、Ｐ、３  ２６行目から３３行目｝構成され、
前記アンテナ（２）の信号受信特性を記述している前記情報は、前記アンテナ（２）と相関する前記アンテナ（２）によって受信された前記信号を発する信号ソース（１０）の位置を記述している角度（θ、ψ）に依存するとともに、前記アンテナ（２）に関連する前記信号ソース（１０）の偏波の傾きを記述した角度（ρ）に依存するステアリングベクトルのセット（Ａ）と、を備えていることを特徴とする、到来方向推定装置（１）。
【請求項２】
前記アンテナ（２）は、右旋回偏波しているか、左旋回偏波しているかのうちのいずれかであることを特徴とする、請求項１に記載の到来方向推定装置（１）。
【請求項３】
前記アンテナ（２）は、複数のアンテナ要素（５）と、
を備え、
複数の前記アンテナ要素（５）の中の前記アンテナ要素（５）は、異なる放射パターンと、
を備え、
前記ビーム形成ネットワーク（３）は、前記分解された複合信号を供給するように構成されており、それによって、前記分解された複合信号は、個々のアンテナ要素（５）、あるいは少なくとも２つのアンテナ要素（５）の放射パターンの組み合わせで受信されることを特徴とする、請求項１、または請求項２のうちのいずれか１つに記載の到来方向推定装置（１）。
【請求項４】
複数の前記アンテナ要素（５）の中の前記アンテナ要素（５）は、すべてが、右旋回偏波しているか、左旋回偏波しているかのうちのいずれかであることを特徴とする、請求項３に記載の到来方向推定装置（１）。
【請求項５】
複数の前記アンテナ要素（５）の中の前記アンテナ要素（５）は、平面に位置していることを特徴とする、請求項３、または請求項４のうちのいずれか１つに記載の到来方向推定装置（１）
【請求項６】
前記評価器（４）は、前記アンテナ（２）によって受信された前記信号を発する信号ソース（１０）の傾き（ρ）を推定するように構成されていることを特徴とする、請求項１ないし請求項５のうちのいずれか１つに記載の到来方向推定装置（１）。
【請求項７】
前記アンテナ（２）の信号受信特性を記述している前記情報は、前記アンテナ（２）と関連する前記信号ソース（１０）の前記位置を記述している共通の仰角（θ）、および方向角（φ）を示していることを特徴とする、請求項１ないし請求項６のうちのいずれか１つに記載の到来方向推定装置（１）。
【請求項８】
前記アンテナ（２）の信号受信特性を記述している前記情報は、前記アンテナ（２）と関連する前記信号ソース（１０）の傾き（ρ）を示していることを特徴とする、請求項１ないし請求項７のうちのいずれか１つに記載の到来方向推定装置（１）。
【請求項９】
前記ステアリングベクトルのセット（Ａ）は、前記信号ソース（１０）の可能性がある傾き（ρ）の範囲を分割間隔に分割することに基づいていることを特徴とする、請求項１ないし請求項８のうちのいずれか１つに記載の到来方向推定装置（１）。
【請求項１０】
前記分割間隔の幅は、前記信号ソース（１０）の傾き（ρ）の推定に関連する分析のための寸法であることを特徴とする、請求項９に記載の到来方向推定装置（１）。
【請求項１１】
2019530866.tif 000038
【請求項１２】
2019530866.tif 000039
【請求項１３】
前記所定の値間隔は、低い閾値、および１に近い値によって与えられることを特徴とする、請求項１１、または請求項１２のうちのいずれか１つに記載の到来方向推定装置（１）。
【請求項１４】
複数の異なる放射パターンと、を備える円偏波したアンテナを用いて、信号ソース（１０）よって発せられた信号を受信するステップと、
受信された信号に基づいて、複数の異なる放射パターンの中の放射パターンと関連づけられることによって受信される分解された複合信号を供給するステップと、
前記分解された複合信号に基づいて、および前記アンテナ（２）の信号受信特性が記述された情報に基づいて前記方向、および前記アンテナ（２）と関連する前記信号ソース（１０）の傾きを推定するために、異なる放射パターンの振幅と位相応答を用いる ｛Ｐ、７  ５行目から８行目、Ｐ、３  ２６行目から３３行目｝ステップと、
を備え、
前記アンテナ（２）の信号受信特性を記述している前記情報は、前記アンテナ（２）と相関する前記アンテナ（２）によって受信された前記信号を発する信号ソース（１０）の位置を記述している角度（θ、ψ）に依存するとともに、前記アンテナ（２）に関連する前記信号ソース（１０）の偏波の傾きを記述した角度（ρ）に依存するステアリングベクトルのセット（Ａ）と、を備えていることを特徴とする、到来方向推定方法。
【国際調査報告】
2019530866.tif 000040
2019530866.tif 000041
2019530866.tif 000042